(57)【要約】【課題】ソース機器の種類に関わらず、認証処理を素早く行うことができる表示制御装置、表示制御方法及びプログラムを提供する。【解決手段】表示制御装置１０は、デジタル映像信号端子（ＨＤＭＩ端子１１ａ、ＨＤＭＩレシーバ１１）から入力した入力信号を処理して表示部に表示する制御部（ＣＰＵ１４）を有し、制御部は、入力信号のうちの認証開始信号（ＨＤＣＰ認証開始メッセージ（ステップＳ１０１））により所定の優先順位で認証処理を開始して、所定時間Ｔ０内で認証処理が完了しない場合には、所定の優先順位を上げて認証処理を再度行う。【選択図】図４
2020155846.tif 000002
【特許請求の範囲】
【請求項１】
デジタル映像信号端子から入力した入力信号を処理して表示部に表示する制御部を有し、前記制御部は、前記入力信号のうちの認証開始信号により所定の優先順位で認証処理を開始して、所定時間内で前記認証処理が完了しない場合には、前記所定の優先順位を上げて前記認証処理を再度行うことを特徴とする表示制御装置。
【請求項２】
前記制御部は、前記所定の優先順位を上げて前記認証処理を再度行った場合の前記認証処理の完了後、前記所定の優先順位を初期値に戻すことを特徴とする請求項１に記載の表示制御装置。
【請求項３】
前記デジタル映像信号端子は、リピータ機器と接続されることを特徴とする請求項１又は請求項２に記載の表示制御装置。
【請求項４】
前記デジタル映像信号端子はＨＤＭＩ端子であり、前記認証処理は、ＨＤＣＰ認証のための処理であることを特徴とする請求項１乃至請求項３の何れかに記載の表示制御装置。
【請求項５】
デジタル映像信号端子から入力した入力信号のうちの認証開始信号により所定の優先順位で認証処理を行う認証処理工程と、
所定時間内で前記認証処理工程が完了したか否かを判断する認証処理完了判断工程と、
前記認証処理完了判断工程において前記認証処理工程が完了していないと判断した場合には、前記所定の優先順位を上げて前記認証処理を再度行う再認証処理工程と、
を備えることを特徴とする表示制御方法。
【請求項６】
デジタル映像信号端子と、表示部とを備えた装置が内蔵したコンピュータが実行するプログラムであって、上記コンピュータを、
前記デジタル映像信号端子からの入力信号のうちの認証開始信号により所定の優先順位で認証処理を開始して、所定時間内で前記認証処理が完了しない場合には、前記所定の優先順位を上げて前記認証処理を再度行う制御部として機能させるプログラム。
【発明の詳細な説明】
【技術分野】
【０００１】
本発明は、表示制御装置、表示制御方法及びプログラムに関する。
【背景技術】
【０００２】
従来から、不正コピーを防止するための暗号化技術が利用されたデジタル映像信号端子を入力端子として備える表示制御装置が提供されている。例えば、特許文献１には、デジタル映像信号端子としてＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）端子を備えた表示制御装置が開示されている。このＨＤＭＩ端子の接続規格には、ＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）の暗号化技術が利用されている。
【先行技術文献】
【特許文献】
【０００３】
【特許文献１】特開２０１３−１９１９４５号公報
【発明の概要】
【発明が解決しようとする課題】
【０００４】
ＨＤＣＰにより保護されたコンテンツの表示は、ＨＤＣＰ認証処理が終了した後に行うことができる。このＨＤＣＰの認証処理は、ビデオディスクプレーヤやパーソナルコンピュータ（ＰＣ）等のソース機器からの認証開始信号が表示制御装置等のシンク機器に出力され、所定時間内に完了するよう規定される。従って、所定時間内に認証処理が完了しない場合には、再度認証処理が継続される。そして、ソース機器側とシンク機器側との信号のやり取りのタイミングによっては、再認証処理が繰り返されて、映像の表示ができない場合があった。
【０００５】
本発明は、ソース機器の種類に関わらず、認証処理を素早く行うことができる表示制御装置、表示制御方法及びプログラムを提供することを目的とする。
【課題を解決するための手段】
【０００６】
本発明の表示制御装置は、デジタル映像信号端子から入力した入力信号を処理して表示部に表示する制御部を有し、前記制御部は、前記入力信号のうちの認証開始信号により所定の優先順位で認証処理を開始して、所定時間内で前記認証処理が完了しない場合には、前記所定の優先順位を上げて前記認証処理を再度行うことを特徴とする。
【０００７】
本発明の表示制御方法は、デジタル映像信号端子から入力した入力信号のうちの認証開始信号により所定の優先順位で認証処理を行う認証処理工程と、所定時間内で前記認証処理工程が完了したか否かを判断する認証処理完了判断工程と、前記認証処理完了判断工程において前記認証処理工程が完了していないと判断した場合には、前記所定の優先順位を上げて前記認証処理を再度行う再認証処理工程と、を備えることを特徴とする。
【０００８】
本発明のプログラムは、デジタル映像信号端子と、表示部とを備えた装置が内蔵したコンピュータが実行するプログラムであって、上記コンピュータを、前記デジタル映像信号端子からの入力信号のうちの認証開始信号により所定の優先順位で認証処理を開始して、所定時間内で前記認証処理が完了しない場合には、前記所定の優先順位を上げて前記認証処理を再度行う制御部として機能させる。
【発明の効果】
【０００９】
本発明によれば、ソース機器の種類に関わらず、認証処理を素早く行うことができる表示制御装置、表示制御方法及びプログラムを提供することができる。
【図面の簡単な説明】
【００１０】
【図１】本発明の実施形態に係る表示制御装置を含む投影システムを模式的に示す構成図である。
【図２】本発明の実施形態に係る表示制御装置の機能回路ブロック図である。
【図３】本発明の実施形態に係る表示制御方法を示すフローチャート図である。
【図４】本発明の実施形態に係る認証処理を示すシーケンスチャート図である。
【発明を実施するための形態】
【００１１】
以下、本発明を実施するための形態について述べる。図１は、表示制御装置１０を含む投影システム１を示す模式図である。表示制御装置１０は、スクリーンＳＣに画像を表示することができる投影装置（プロジェクタ）である。表示制御装置１０は、ＨＤＭＩ端子１１ａを備える。一方、ＡＶアンプや分配器等とされるリピータ機器７０は、ＨＤＭＩ規格の入出力端子を備える。ビデオディスクプレーヤ８０は、ＨＤＭＩ出力端子を備え、ＨＤＭＩケーブル３２を介してリピータ機器７０のＨＤＭＩ入力端子と接続される。リピータ機器７０のＨＤＭＩ出力端子は、ＨＤＭＩケーブル３１を介して表示制御装置１０のＨＤＭＩ端子１１ａと接続される。投影システム１は、ビデオディスクプレーヤ８０で再生される映像や画像等を表示制御装置１０によりスクリーンＳＣに投影させることができる。
【００１２】
図２は、表示制御装置１０の機能回路ブロック図である。表示制御装置１０は、デジタル映像信号端子であるＨＤＭＩレシーバ１１等を有する入力部から入力される映像信号に基づいて所定の投影条件での投影動作を司る、所謂スケーラとして機能するＣＰＵ１４を備える。ＣＰＵ１４（コンピュータ）は、入力部（ＨＤＭＩレシーバ１１、Ａ／Ｄ変換部１２、ビデオデコーダ１３）、ＥＤＩＤ処理部１５、ＥＥＰＲＯＭ（登録商標）１６、ＲＡＭ１７、ＲＦトランシーバ１８と接続される制御マイコン１９、オーディオデバイス２０、キー入力部２１、表示部（ポジションセンサ２２、モータドライバ２３、マイクロミラー素子２４、カラーホイール２５）と接続される。
【００１３】
デジタル映像信号端子であるＨＤＭＩレシーバ１１は、ＨＤＭＩ端子１１ａから入力されるデジタル映像信号であるＨＤＭＩ信号をデコードしてＣＰＵ１４へ出力する。Ａ／Ｄ変換部１２は、ＶＧＡ端子（図示せず）から入力されるアナログＲＧＢ信号をデジタル化してＣＰＵ１４へ出力する。ビデオデコーダ１３は、ＲＣＡピンジャック（図示せず）から入力される輝度色差形のアナログ映像信号であるコンポジットビデオ信号を原色系のデジタル映像信号に変換してＣＰＵ１４へ出力する。
【００１４】
ＥＤＩＤ処理部１５は、ＨＤＭＩレシーバ１１を介して接続された外部機器との間のＥＤＩＤ情報の処理を実行する。ＥＥＰＲＯＭ１６は、ＣＰＵ１４を制御部として機能させるプログラムや各種固定データ等を記憶する記憶部である。ＲＡＭ１７は、ＣＰＵ１４が制御処理を実行する際のワークメモリとして機能する。
【００１５】
ＲＦトランシーバ１８は、表示制御装置１０と無線接続される外部機器との間のデータの送受信を行なう。制御マイコン１９は、ＲＦトランシーバ１８でのデータの送受信も含めて、ＣＰＵ１４が投影動作に対する制御を行なう以外の、表示制御装置１０全体の動作を統括して制御する。オーディオデバイス２０は、映像信号から分離された音声信号をアナログ化し、図示しないスピーカを拡声駆動する。キー入力部２１は、表示制御装置１０の本体筐体に設けられたキー操作部、及び表示制御装置１０専用のリモートコントローラからのキー操作に応じた赤外線変調信号を受光する受光部を含み、キー操作信号をＣＰＵ１４へ送出する。
【００１６】
ポジションセンサ２２は、時分割で原色光を出射するためのカラーホイール２５に回転周端部に対向して設置され、カラーホイール２５に設けられたポジションマーカ（図示せず）の近接を検知することで、カラーホイール２５の回転同期を検出するためのセンサである。モータドライバ２３は、カラーホイール２５を同一方向に一定速度で回転させるモータ（図示せず）を駆動する。
【００１７】
マイクロミラー素子２４は、２次元アレイ配列された多数のマイクロミラー個々の姿勢傾斜角度のオン／オフ制御による表示動作が実行されるものであり、このマイクロミラー素子２４に対してカラーホイール２５からの原色光が入射されることで、その反射光から投影光像が形成され、図示しない投影レンズ系を介して、被投影対象のスクリーンＳＣ等に向けて出射される。マイクロミラー素子２４上に画像を表示するための表示部は、表示エンコーダ、表示駆動部が備えられている。
【００１８】
次に、表示制御装置１０におけるＨＤＣＰの認証処理を図３のフローチャート及び図４のシーケンスチャートに基づいて説明する。図３に示すように、ＨＤＣＰの認証処理が開始されると、ＨＤＣＰの認証処理が実行される（ステップＳ４０１）。具体的には、図４において、シンク機器（表示制御装置１０）とソース機器（リピータ機器７０）とのＨＤＣＰの認証処理は、ソース機器７０から出力されるＨＤＣＰ認証開始メッセージ（ステップＳ１０１）をトリガーとして開始される。例えば、ソース機器７０とシンク機器１０がＨＤＭＩケーブルにより接続されると、ＨＤＣＰ認証開始メッセージ（ステップＳ１０１）がソース機器７０からシンク機器１０に出力される。ＨＤＣＰ認証処理は、シンク機器１０側から出力されたＨＤＣＰ認証完了メッセージ（ステップＳ１０７）がソース機器７０に入力されることで完了する（図３のステップＳ４０２）。ＨＤＣＰ認証処理の処理時間（すなわち、ＨＤＣＰ認証開始メッセージ（ステップＳ１０１）からＨＤＣＰ認証完了メッセージ（ステップＳ１０７）まで掛かる時間）は、所定時間Ｔ０の間に行われるよう規定される。所定時間Ｔ０の間にＨＤＣＰ認証処理が完了しない場合には、再度ＨＤＣＰ認証開始メッセージ（ステップＳ２０１）がソース機器７０から出力されて、認証処理が繰り返される（図３のステップＳ４０２）。
【００１９】
図４において、ＨＤＣＰ認証処理が開始されると（ステップＳ１０１）、ソース機器７０から暗号鍵に関する状態信号であるＲｘステータス（ステップＳ１０２）が出力される。シンク機器１０側で他の処理（例えば、手書き入力ペンによる双方向通信のための設定等）が優先して行われている場合には、Ｒｘステータス（ステップＳ１０２）に対して有効な応答信号をシンク機器１０が返すことができない場合がある（リプライ（データなし）（ステップＳ１０３））。ソース機器７０は、出力したＲｘステータス（ステップＳ１０２）に対応する有効なリプライをシンク機器１０から受け取らない場合には、時間間隔Ｔ１後に、再度Ｒｘステータス（ステップＳ１０４）を出力する。このＲｘステータス（ステップＳ１０４）に対応する有効な応答信号（リプライ（データあり）（ステップＳ１０５））をシンク機器１０が返すことができた場合には、ソース機器からリードメッセージ（ステップＳ１０６）が出力されて、シンク機器１０からはＨＤＣＰ認証完了メッセージ（ステップＳ１０７）が出力されて、ＨＤＣＰ認証処理が完了する。
【００２０】
ここで、Ｒｘステータス（ステップＳ１０２，Ｓ１０４）が出力される時間間隔Ｔ１は、ソース機器毎に異なる。例えば、ビデオディスクプレーヤでは、１．４ｍｓｅｃであり、分配器では、２０ｍｓｅｃのものがある。従って、Ｒｘステータス（ステップＳ１０２，Ｓ１０４）が出力される時間間隔Ｔ１が、規定時間である所定時間Ｔ０よりも十分に小さい場合には、シンク機器１０は所定時間Ｔ０内に複数回Ｒｘステータス（ステップＳ１０２，Ｓ１０４）を受け取ることができるので、所定時間Ｔ０内で認証処理を完了することができる（例えば、表示制御装置１０とビデオディスクプレーヤ８０が直接ＨＤＭＩケーブルで接続される場合）。
【００２１】
一方、本実施形態のように、分配器等のリピータ機器７０を介して表示制御装置１０とビデオディスクプレーヤ８０とが接続される場合、すなわち、Ｒｘステータス（ステップＳ１０２，Ｓ１０４）が出力される時間間隔Ｔ１が、所定時間Ｔ０と同等以上の場合には、２回目以降のＲｘステータス（ステップＳ１０４）がソース機器から出力される前に、次のＨＤＣＰ認証開始メッセージ（ステップＳ２０１）が出力されて、所定時間Ｔ０内に認証処理が完了せず、再認証処理が繰り返される場合がある。
【００２２】
そこで、表示制御装置１０では、以下の表示制御方法にてＨＤＣＰ認証処理が行われる。
認証処理工程；デジタル映像信号端子（ＨＤＭＩ端子１１ａ、ＨＤＭＩレシーバ１１）から入力した認証開始信号（ＨＤＣＰ認証開始メッセージ（ステップＳ１０１））により、予め定められた所定の優先順位（タスクプライオリティ）（すなわち初期値）でＨＤＣＰ認証処理を行う（図４のステップＳ４０１，Ｓ４０２）。
【００２３】
認証処理完了判断工程；所定時間Ｔ０内で認証処理工程が完了したか否かを判断する。
再認証処理工程；認証処理完了判断工程において認証処理工程が完了していないと判断した場合には、所定の優先順位を上げて、例えばタスクプライオリティを最上位に設定して（ステップＳ４０５）、再度認証処理を実行する（ステップＳ４０１）。
認証処理完了判断工程において認証処理工程が完了したと判断した場合には、所定の優先順位を初期値に戻すよう設定する（ステップＳ４０４）。
【００２４】
このように、ＨＤＣＰの認証処理が再度行われた場合には、当該認証処理の優先順位を上げて、制御部として機能するＣＰＵ１４の負荷を認証処理に多く割り当てることにより、少なくとも２回目の再認証処理で、確実に認証処理を完了させることができる。そして、制御部は、認証処理が終了した後には、引き上げた認証処理の優先順位を元の値（初期値）に戻す。これにより、表示制御装置１０は、表示制御装置１０を再度使用する場合において、負荷の高い他の処理を優先して行う初期の設定で表示準備を行うことができる。
【００２５】
なお、本実施形態においては、再認証処理工程における優先順位を最上位となるよう所定の優先順位を上げたが、これに限られず、再認証処理工程毎に漸次優先順位を上げていってもよい。
【００２６】
また、表示制御装置１０は、ＤＭＤ（デジタルマイクロミラーデバイス）とされるマイクロミラー素子２４を備えるＤＬＰ方式の投影装置（プロジェクタ）としたが、これに限られず、例えば高圧水銀灯を光源とし、カラー液晶パネルを用いたプロジェクタとしてもよい。また、表示制御装置１０は、投影装置（プロジェクタ）に限らず、ディスプレイ等の表示制御装置としてもよい。また、本実施形態においては、デジタル映像信号端子をＨＤＭＩとして、ＨＤＣＰの認証処理を例としたが、他の規格のデジタル映像信号の端子からの入力信号の他の認証処理としてもよい。
【００２７】
例えば、ＨＤＣＰを用いる他のデジタル映像信号は、ＤｉｓｐｌａｙＰｏｒｔ、ＭＨＬ、ＨＤＢａｓｅＴ、ＷｉｒｅｌｅｓｓＨＤ等が挙げられる。また、コピーガードのための暗号化技術としても、ＨＤＣＰに限らず、ＤＴＣＰ（Ｄｉｇｉｔａｌ  Ｔｒａｎｓｍｉｓｉｏｎ  Ｃｏｎｔｅｎｔ  Ｐｒｏｔｅｃｔｉｏｎ）、ＣＳＳ（Ｃｏｎｔｅｎｔ  Ｓｃｒａｍｂｌｅ  Ｓｙｓｔｅｍ）、ＡＡＣＳ（Ａｄｖａｎｃｅｄ  Ａｃｃｅｓｓ  Ｃｏｎｔｅｎｔ  Ｓｙｓｔｅｍ）等であっても同様に適用可能である。
【００２８】
以上、本実施形態の表示制御装置１０は、デジタル映像信号端子（ＨＤＭＩ端子１１ａ、ＨＤＭＩレシーバ１１）から入力した入力信号を処理して表示部に表示する制御部（ＣＰＵ１４）を有し、制御部は、入力信号のうちの認証開始信号（ＨＤＣＰ認証開始メッセージ（ステップＳ１０１））により所定の優先順位で認証処理を開始して、所定時間Ｔ０内で認証処理が完了しない場合には、所定の優先順位を上げて認証処理を再度行う。
【００２９】
これにより、他の処理を優先して行っていた制御部に対して、再認証処理においては認証処理を優先して処理する。従って、ソース機器の種類に関わらず、認証処理を素早く行うことができる表示制御装置を提供することができる。
【００３０】
また、制御部は、所定の優先順位を上げて認証処理を再度行った場合の認証処理の完了後、所定の優先順位を初期値に戻す。これにより、再認証処理が行われる場合のみ、認証処理の所定の優先順位を上げて処理することができる。
【００３１】
また、デジタル映像信号端子は、リピータ機器７０と接続される。これにより、状態信号の出力の間隔が長いリピータ機器が表示制御装置１０に接続された場合であっても、素早く認証処理を行うことができる。
【００３２】
また、デジタル映像信号端子は、ＨＤＭＩ端子１１ａを備えるＨＤＭＩレシーバ１１であり、認証処理は、ＨＤＭＩで規定されるＨＤＣＰ認証処理である。これにより、近年普及が進んだＨＤＭＩ端子を備える機器と表示制御装置１０との接続を素早く行うことができる。
【００３３】
また、表示制御装置１０の表示制御方法は、デジタル映像信号端子から入力した入力信号のうちの認証開始信号により所定の優先順位で認証処理を行う認証処理工程と、所定時間内で認証処理工程が完了したか否かを判断する認証処理完了判断工程と、認証処理完了判断工程において前記認証処理工程が完了していないと判断した場合には、前記所定の優先順位を上げて前記認証処理を再度行う再認証処理工程と、を備える。これにより、認証処理が素早くスムーズに行われる表示制御装置１０の表示制御方法を提供することができる。
【００３４】
また、表示制御装置１０のＣＰＵ１４を制御部として機能させるプログラムは、デジタル映像信号端子と、表示部とを備えた装置が内蔵したコンピュータが実行するプログラムであって、上記コンピュータを、前記デジタル映像信号端子からの入力信号のうちの認証開始信号により所定の優先順位で認証処理を開始して、所定時間内で前記認証処理が完了しない場合には、前記所定の優先順位を上げて前記認証処理を再度行う。これにより、認証処理が素早くスムーズに行われる表示制御装置１０のプログラムを提供することができる。
【００３５】
なお、以上説明した実施形態は、例として提示したものであり、発明の範囲を限定することは意図していない。これら新規な実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００３６】
以下に、本願出願の最初の特許請求の範囲に記載された発明を付記する。
［１］デジタル映像信号端子から入力した入力信号を処理して表示部に表示する制御部を有し、前記制御部は、前記入力信号のうちの認証開始信号により所定の優先順位で認証処理を開始して、所定時間内で前記認証処理が完了しない場合には、前記所定の優先順位を上げて前記認証処理を再度行うことを特徴とする表示制御装置。
［２］前記制御部は、前記所定の優先順位を上げて前記認証処理を再度行った場合の前記認証処理の完了後、前記所定の優先順位を初期値に戻すことを特徴とする前記［１］に記載の表示制御装置。
［３］前記デジタル映像信号端子は、リピータ機器と接続されることを特徴とする前記［１］又は前記［２］に記載の表示制御装置。
［４］前記デジタル映像信号端子はＨＤＭＩ端子であり、前記認証処理は、ＨＤＣＰ認証のための処理であることを特徴とする前記［１］乃至前記［３］の何れかに記載の表示制御装置。
［５］デジタル映像信号端子から入力した入力信号のうちの認証開始信号により所定の優先順位で認証処理を行う認証処理工程と、
所定時間内で前記認証処理工程が完了したか否かを判断する認証処理完了判断工程と、
前記認証処理完了判断工程において前記認証処理工程が完了していないと判断した場合には、前記所定の優先順位を上げて前記認証処理を再度行う再認証処理工程と、
を備えることを特徴とする表示制御方法。
［６］デジタル映像信号端子と、表示部とを備えた装置が内蔵したコンピュータが実行するプログラムであって、上記コンピュータを、
前記デジタル映像信号端子からの入力信号のうちの認証開始信号により所定の優先順位で認証処理を開始して、所定時間内で前記認証処理が完了しない場合には、前記所定の優先順位を上げて前記認証処理を再度行う制御部として機能させるプログラム。
【符号の説明】
【００３７】
１        投影システム                  １０      表示制御装置（シンク機器）
１１      ＨＤＭＩレシーバ              １１ａ    ＨＤＭＩ端子
１２      Ａ／Ｄ変換部                  １３      ビデオデコーダ
１４      ＣＰＵ                        １５      ＥＤＩＤ処理部
１７      ＲＡＭ                        １８      ＲＦトランシーバ
１９      制御マイコン                  ２０      オーディオデバイス
２１      キー入力部                    ２２      ポジションセンサ
２３      モータドライバ                ２４      マイクロミラー素子
２５      カラーホイール                ３１      ＨＤＭＩケーブル
３２      ＨＤＭＩケーブル
７０      リピータ機器（ソース機器）    ８０      ビデオディスクプレーヤ（ソース機器）
【図１】
2020155846.tif 000003
【図２】
2020155846.tif 000004
【図３】
2020155846.tif 000005
【図４】
2020155846.tif 000006